(57)【要約】【課題】乾燥運転開始後の起ち上がり性能を高めて、乾燥性能を向上させる。【解決手段】吸熱器７と放熱器８およびドラム２を通風連結する送風経路６と、送風経路６に乾燥用空気を送風する送風装置９と、機外から水槽３へ水を供給する給水経路１５と、水槽３から排出された水を通過させる熱交換槽１８と、熱交換槽１８の水を機外へ排出する排水経路２６と、水槽３を通さずに熱交換槽１８の内部を通った後吸熱器７または放熱器８へ水を供給する水道水搬送経路２０と、吸熱器７または放熱器８に供給された水を機外へ排出する水道水排出経路２１と、洗濯および乾燥運転を実行する制御装置２７とを備え、制御装置２７は、乾燥運転を開始する前に洗濯に使用した水により加熱された水で冷媒を加熱するようにしたものである。【選択図】図１
2012205631.tif 000002
【特許請求の範囲】
【請求項１】
洗濯用の水を溜める水槽と、前記水槽内に回転可能に設けたドラムと、圧縮機、放熱器、膨張弁、および吸熱器を冷媒が循環するように冷媒パイプで連結したヒートポンプシステムと、前記吸熱器と前記放熱器および前記ドラムを通風連結する送風経路と、前記送風経路に乾燥用空気を送風する送風装置と、機外から前記水槽へ水を供給する給水経路と、前記水槽から排出された水を通過させる熱交換槽と、前記熱交換槽の水を機外へ排出する排水経路と、前記水槽を通さずに前記熱交換槽の内部を通った後前記吸熱器または前記放熱器へ水を供給する水道水搬送経路と、前記吸熱器または前記放熱器に供給された水を機外へ排出する水道水排出経路と、洗濯および乾燥運転を実行する制御装置とを備え、前記制御装置は、乾燥運転を開始する前に洗濯に使用した水により加熱された水で冷媒を加熱するようにした洗濯乾燥機。
【請求項２】
熱交換槽は、洗濯排水を貯留可能に構成した請求項１記載の洗濯乾燥機。
【請求項３】
熱交換槽に溜まった水を撹拌する撹拌装置を備えた請求項２記載の洗濯乾燥機。
【請求項４】
送風経路内に設けた吸熱器または放熱器の少なくとも一部が浸水するように貯水部を設けた請求項１〜３のいずれか１項に記載の洗濯乾燥機。
【請求項５】
貯水部に貯まった水を攪拌する撹拌装置を備えた請求項４記載の洗濯乾燥機。
【請求項６】
水道水搬送経路内の水を所定の時間熱交換槽に溜める構成とした請求項１〜５のいずれか１項に記載の洗濯乾燥機。
【請求項７】
制御装置は、衣類乾燥のために圧縮機を駆動する前に送風装置を駆動するようにした請求項１〜６のいずれか１項に記載の洗濯乾燥機。
【請求項８】
熱交換槽と水槽を連通接続する水道水供給経路を設けた請求項１〜７のいずれか１項に記載の洗濯乾燥機。
【発明の詳細な説明】
【技術分野】
【０００１】
本発明は、衣類等の洗濯と乾燥をおこなう洗濯乾燥機に関するものである。
【背景技術】
【０００２】
従来、ヒートポンプシステムを搭載し、ヒータなどを使用した場合と比較して消費エネルギーを低減して衣類を乾燥させることが可能な洗濯乾燥機が提案されている。このような洗濯乾燥機の課題の１つとして、乾燥を開始した直後から初期にかけて、衣類や衣類を収容するドラムの温度が低いために、本来衣類の水分を蒸発させるための乾燥風の熱が、ドラム等の加熱のために使われてしまい、乾燥の起ち上がり性能が低下しているという課題がある。
【０００３】
上記課題を解決するために、例えば、蓄熱材を用いて冷媒を加熱することが考えられている（例えば、特許文献１参照）。また、ヒータを用いて冷媒を加熱することが考えられている（例えば、特許文献２参照）。
【０００４】
図６は、特許文献１に記載された従来の洗濯乾燥機を示したものである。図に示すように、衣類を収容するドラム４０と、水を溜める水槽４１と、圧縮機４２、吸熱器４３、膨張弁４４、放熱器４５、第二の放熱器４６とで冷凍サイクルを構成しているヒートポンプシステムと、水槽４１と吸熱器４３、放熱器４５を連通接続した乾燥風経路４７と、乾燥風経路４７に送風する送風装置４８とからなり、第二の放熱器４６は蓄熱材４９中に設置されている。
【０００５】
このような洗濯乾燥機によると、洗濯中にヒートポンプシステムを駆動し、第二の放熱器４６の熱を周囲の蓄熱材４９に移動させて貯めておくことで、乾燥工程が開始されるとこの蓄熱材４９により温められた冷媒が放熱器４５を加熱し、乾燥風の温度を素早く上昇させることができる。
【０００６】
図７は、特許文献２に記載された従来の洗濯乾燥機を示したものである。図に示すように、衣類を収容するドラム５０と、水を貯める水槽５１と、圧縮機５２、吸熱器５３、膨張弁５４、放熱器５５とで冷凍サイクルを構成しているヒートポンプシステムと、水槽５１と吸熱器５３、放熱器５５を連通接続した乾燥風経路５６と、乾燥風経路５６に送風する送風装置５７とからなり、圧縮機５２はヒータ５８で巻回されている。
【０００７】
このような洗濯乾燥機によると、乾燥を開始する前にヒータ５８に通電し、圧縮機５２内の冷媒を加熱して、乾燥開始直後の乾燥効率を向上させることができる。
【先行技術文献】
【特許文献】
【０００８】
【特許文献１】特開２００６−１８１２１９号公報
【特許文献２】特開２００７−６１２６４号公報
【発明の概要】
【発明が解決しようとする課題】
【０００９】
しかしながら、特許文献１、２に記載の構成では、洗濯中にヒートポンプシステムやヒータを駆動させる必要があり、余分なエネルギーが必要となるという問題があった。
【００１０】
本発明は、前記従来の課題を解決するもので、余分なエネルギーや水を使用することな
く、乾燥開始直後のヒートポンプの乾燥性能を向上させた洗濯乾燥機を提供することを目的とする。
【課題を解決するための手段】
【００１１】
前記従来の課題を解決するために、本発明の洗濯乾燥機は、吸熱器と放熱器およびドラムを通風連結する送風経路と、前記送風経路に乾燥用空気を送風する送風装置と、機外から水槽へ水を供給する給水経路と、前記水槽から排出された水を通過させる熱交換槽と、前記熱交換槽の水を機外へ排出する排水経路と、前記水槽を通さずに前記熱交換槽の内部を通った後前記吸熱器または前記放熱器へ水を供給する水道水搬送経路と、前記吸熱器または前記放熱器に供給された水を機外へ排出する水道水排出経路と、洗濯および乾燥運転を実行する制御装置とを備え、前記制御装置は、乾燥運転を開始する前に洗濯に使用した水により加熱された水で冷媒を加熱するようにしたものである。
【００１２】
これによって、捨てられる洗濯排水の熱エネルギーにより吸熱器内の冷媒を加熱し、乾燥工程が開始されるとすぐに乾燥用空気を加熱することが可能となり、消費するエネルギーや水を余分に使用することなく乾燥運転開始後の起ち上がり性能を高めて、乾燥性能を向上させることができる。
【発明の効果】
【００１３】
本発明の洗濯乾燥機は、乾燥運転開始後の起ち上がり性能を高めて、乾燥性能を向上させることができる。
【図面の簡単な説明】
【００１４】
【図１】本発明の実施の形態１における洗濯乾燥機の要部断面図
【図２】同洗濯乾燥機の冷媒温度の変化を示す図
【図３】同洗濯乾燥機の動作を示すタイムチャート
【図４】本発明の実施の形態２における洗濯乾燥機の要部断面図
【図５】本発明の実施の形態３における洗濯乾燥機の要部断面図
【図６】従来の洗濯乾燥機の要部断面図
【図７】従来の他の例の洗濯乾燥機の要部断面図
【発明を実施するための形態】
【００１５】
第１の発明は、洗濯用の水を溜める水槽と、前記水槽内に回転可能に設けたドラムと、圧縮機、放熱器、膨張弁、および吸熱器を冷媒が循環するように冷媒パイプで連結したヒートポンプシステムと、前記吸熱器と前記放熱器および前記ドラムを通風連結する送風経路と、前記送風経路に乾燥用空気を送風する送風装置と、機外から前記水槽へ水を供給する給水経路と、前記水槽から排出された水を通過させる熱交換槽と、前記熱交換槽の水を機外へ排出する排水経路と、前記水槽を通さずに前記熱交換槽の内部を通った後前記吸熱器または前記放熱器へ水を供給する水道水搬送経路と、前記吸熱器または前記放熱器に供給された水を機外へ排出する水道水排出経路と、洗濯および乾燥運転を実行する制御装置とを備え、前記制御装置は、乾燥運転を開始する前に洗濯に使用した水により加熱された水で冷媒を加熱するようにしたことにより、排水される洗濯水の熱を水に伝え、この水で吸熱器または放熱器内の冷媒を加熱することで、乾燥工程が開始されるとすぐに乾燥風を加熱することが可能となり、乾燥性能を向上させるとともに、吸熱器あるいは放熱器に直接洗濯排水を接触させないので、長く使い続けても乾燥性能が低下しない洗濯乾燥機を提供することができる。
【００１６】
第２の発明は、特に、第１の発明に加えて、熱交換槽は、洗濯排水を貯留可能に構成したことにより、長時間洗濯排水が吸熱器あるいは放熱器を温めるための水と接することができるので、より確実に洗濯排水の熱で冷媒を加熱し、乾燥性能を向上させることができ
る。
【００１７】
第３の発明は、特に、第２の発明に加えて、熱交換槽に溜まった水を撹拌する撹拌装置を備えたことにより、貯まった洗濯排水と吸熱器あるいは放熱器を温めるための水との間の熱交換がより効率よく行われるので、さらに冷媒温度を高温にすることができ、乾燥効率を高めることができる。
【００１８】
第４の発明は、特に、第１〜第３のいずれか１つの発明に加えて、送風経路内に設けた吸熱器または放熱器の少なくとも一部が浸水するように貯水部を設けたことにより、長時間水道水が吸熱器あるいは放熱器の冷媒と接することができるので、より確実に洗濯排水の熱で冷媒を加熱し、乾燥性能を向上させることができる。
【００１９】
第５の発明は、特に、第４の発明に加えて、貯水部に貯まった水を攪拌する撹拌装置を備えたことにより、貯まった水道水と冷媒との間の熱交換がより効率よく行われるので、さらに冷媒温度を高温にすることができ、乾燥効率を高めることができる。
【００２０】
第６の発明は、特に、第１〜第５のいずれか１つの発明に加えて、水道水搬送経路内の水を所定の時間熱交換槽に溜める構成としたことにより、長時間洗濯排水が吸熱器あるいは放熱器を温めるための水と接することができるので、より確実に洗濯排水の熱で冷媒を加熱し、乾燥性能を向上させることができる。
【００２１】
第７の発明は、特に、第１〜第６のいずれか１つの発明に加えて、制御装置は、衣類乾燥のために圧縮機を駆動する前に送風装置を駆動するようにしたことにより、洗濯排水が吸熱器または放熱器に付着したまま乾燥が開始することを低減することができるので、乾燥効率を高く維持することができる。
【００２２】
第８の発明は、特に、第１〜第７のいずれか１つの発明に加えて、熱交換槽と水槽を連通接続する水道水供給経路を設けたことにより、熱交換槽で温められた水をすすぎ水として利用することが可能となり、すすぎ後の衣類やドラムを高温に保つことができるので、乾燥開始直後に乾燥風で衣類やドラム等を加熱する必要がなくなり、より素早く衣類の乾燥を開始することができ、乾燥運転開始後の起ち上がり性能を高めて、乾燥性能を向上させることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗濯乾燥機の要部断面図、図２は、同洗濯乾燥機の冷媒温度の変化を示す図、図３は、同洗濯乾燥機の動作を示すタイムチャートである。
【００２５】
図１〜図３において、洗濯乾燥機の本体１と、衣類等の洗濯物を収容するドラム２と、ドラム２の外側に配置された洗濯用の水を溜める水槽３と、水槽３の背面側に固定されたドラム２を回転させるモータ４と、ドラム２の前方を閉じるドア５を有している。モータ４は、水槽３の背面を貫通した回転軸２ａを介してドラム２と連結されており、ドラム２は水平軸を中心に回転駆動するように構成されている。モータ４は、ブラシレス直流モータで構成され、インバータ制御によって回転速度が自在に変化させることができるようになっている。
【００２６】
本体１内には、乾燥用空気を循環させる送風経路６が設けられている。送風経路６内に
は乾燥風の流れの上流側から順に、吸熱器７、放熱器８、送風装置９が設置されている。送風経路６の両端は、いずれも水槽３の上部と連通接続されている。また、本体１内には圧縮機１０および膨張弁１１が設けられている。圧縮機１０、放熱器８、膨張弁１１、吸熱器７は、内側に冷媒を封入した冷媒パイプ１２によって順にループ状に接続されており、冷凍サイクルを形成している。
【００２７】
吸熱器７および放熱器８は冷媒パイプ１２が蛇行し、これらの冷媒パイプ１２に多数の伝熱フィン（図示せず）を接触させるように構成されている。少なくとも吸熱器７および放熱器８の冷媒パイプ１２および伝熱フィンは、硬度の高い水や、洗濯後の排水に接触しても腐食や汚れの固着が生じにくい素材、あるいは、表面状態で構成されている。
【００２８】
伝熱フィンは、例えば、金属のフィラなどを加えて熱伝導性を高めた樹脂で構成されている。冷媒パイプ１２は、例えば、銅パイプの表面に樹脂コーティングされている。吸熱器７および放熱器８は、送風経路６内の略最下位置に配置されている。送風経路６の最下部は貯水部１３を構成している。
【００２９】
吸熱器７および放熱器８は、貯水部１３の底面から一定の高さの空間を介して設置されており、貯水部１３に一定量の水が溜まらないと、吸熱器７および放熱器８が浸水しないよう構成されている。貯水部１３の内側略底面付近には撹拌装置１４が設けられている。この撹拌装置１４はポンプからなり、貯水部１３内の水を吸込んで貯水部１３内に吐き出して、貯水部１３内の水を攪拌する。
【００３０】
ドラム２は、有底略円筒形であり、略水平軸周りに回転し、前面に設けた開口部２ｂは開閉自在なドア５と対向するように構成されている。ドラム２の周側面にドラム２の内外を貫通するように多数の孔２ｃを備えている。また、ドラム２の内周側面には、洗濯物をモータ４の回転に伴って上方向に持ち上げる複数のバッフル２ｄを内方へ突設している。
【００３１】
水槽３には、水槽３と本体１外の水栓Ａを連通接続する給水経路１５が接続されている。水栓Ａは室温と略同等の常温の水道水等を洗濯乾燥機に供給する。給水経路１５の途中には、洗剤や漂白剤などを供給する水に混入させるための洗剤ケース（図示せず）と、水槽３への給水と停止をおこなう給水切替弁１６が設けられている。給水切替弁１６は、水道水を水槽３側に導く状態（この状態を状態Ｂと呼ぶ）と、水道水搬送経路２０側に導く状態（この状態を状態Ｃと呼ぶ）と、給水の停止とに切替えることができる。
【００３２】
水槽３内の底部には、洗濯水を加熱するヒータ１７が設けられている。水槽３の排出口３ａ側には、熱交換槽１８が排水弁１９を挟んで接続されている。排出口３ａは水槽３の略最下部に設けられており、水槽３内の水を排出する際は水のほぼ全てが排出される構成となっている。給水切替弁１６と貯水部１３は、水道水搬送経路２０で連通接続されている。
【００３３】
水道水搬送経路２０は途中、熱交換槽１８の内部を通過する構成となっており、熱交換槽１８に溜まる温かい洗濯排水と、水栓Ａから供給された水道水搬送経路２０内の水とが熱交換する。熱交換槽１８への洗濯排水の入り口は複数孔１８ａから構成されており、これらの複数孔１８ａは、熱交換槽１８内で蛇行配置した水道水搬送経路２０の略直上に構成されている。
【００３４】
水道水搬送経路２０を加熱した後の洗濯排水は、熱交換槽１８の出口１８ｂから排水経路２６を通して機外へ排出される。水道水搬送経路２０の他端は、送風経路６の一部内側に開口しており、熱交換槽１８で温められた水を貯水部１３へ供給する。
【００３５】
貯水部１３の略最下部には水道水排出経路２１が接続されており、貯水部１３の水は、水道水排出経路２１を通して機外へ排出される。水道水排出経路２１は、貯水部１３の略最下部と接続されている。水道水排出経路２１の貯水部１３側には水道水排出弁２２が設けられている。
【００３６】
洗濯乾燥機の本体１の最外郭は外郭壁２３からなっている。水槽３の振動を抑え、水槽３の振動を外郭壁２３に伝達することを低減するために、水槽３の上部に吊下げバネ２４を設け、ダンパ２５を水槽３と外郭壁２３との間に設けて水槽３を下方から弾性支持している。さらに、外郭壁２３の底面には、本体１を床に設置する弾性体の脚２３ａを取り付けている。
【００３７】
本体１内の上方前部には、モータ４、送風装置９、圧縮機１０、給水切替弁１６、ヒータ１７、排水弁１９、水道水排出弁２２などを制御する制御装置２７が設けられている。制御装置２７は、洗い、すすぎ、脱水、乾燥の各工程を逐次制御する。使用者は操作ボタン（図示せず）を操作することにより、所望の運転が可能である。
【００３８】
以上のように構成された洗濯乾燥機について、以下その動作、作用について説明する。衣類の洗濯および乾燥プログラムの実行による動作の詳細を説明する。まず、洗濯の手順の概要を示す。洗濯は、洗い工程およびすすぎ工程、脱水工程からなる。洗い工程では、使用者は、最初にドア５を開放してドラム２内に衣類等の洗濯物を収容した後ドア５を閉じ、操作ボタンを押して所望の運転プログラムを選択して運転を開始させる。
【００３９】
制御装置２７は、ドア５が閉じられていることを確認した後、モータ４を駆動させて、回転数などから衣類の量を判定する。その後、制御装置２７は給水切替弁１６を状態Ｂに開放して水槽３内に水を溜め始める。給水切替弁１６を通って水槽３に供給される水は洗剤ケースを通過しており、このとき、排水弁１９は閉じた状態とする。水を溜めながら、制御装置２７はモータ４を駆動させることで、衣類を満遍なく濡らしておく。同時に制御装置２７は、ヒータ１７により水槽３に溜められた洗濯水の加熱を開始する。
【００４０】
水槽３に所定の水量が溜まると、制御装置２７は給水切替弁１６を閉じ、モータ４を正転、反転を繰り返すなど、所定のプログラムにしたがってドラム２を回転させ、たたき洗いの作用によって衣類の汚れを落とす。
【００４１】
水槽３に溜められた洗濯水の温度は、温度検知手段（図示せず）によって検知され、制御装置２７は、この温度検知手段によって検知した水槽３内の水温が、所定の温度（例えば、４０℃）になると、ヒータ１７への通電を停止する。洗濯を行い、所定の時間が経過すると、制御装置２７は排水弁１９を開いて洗剤や汚れと共に洗濯水を水槽３から排出する。
【００４２】
洗い工程が終了すると、次にすすぎ工程を開始する。制御装置２７は、給水切替弁１６を状態Ｂに開放して水栓Ａと水槽３を連通させ、再び水槽３に水を供給する。所定の量の水を水槽３内に供給すると給水切替弁１６を閉じる。この間、排水弁１９は閉じたままで制御されている。
【００４３】
水槽３に水を貯めた状態で制御装置２７はモータ４を駆動させ、ドラム２を回転させて衣類に付着している洗剤成分や汚れ成分を汚れていない水の中へと移動させて汚れを落とす。所定の時間が経過すると、排水弁１９を開いてすすぎ水を水槽３から排出する。すすぎ工程では、制御装置２７はヒータ１７には通電しない。すすぎ工程では、給水、モータ駆動、排水というサイクルを複数回おこなう。
【００４４】
すすぎ工程が終了すると、次に脱水工程を実行する。制御装置２７は、モータ４を駆動させてドラム２を高速で回転させる（例えば、１４００ｒ／ｍｉｎ）。このとき、ドラム２の回転数が増加していくにつれて、衣類に付加される遠心力が強まっていくため、衣類はドラム２の内周壁面に張り付いていく。
【００４５】
そして、衣類に含まれる水分は、遠心力によってドラム２の孔２ｃを通して外側に移動し、遠心力により水槽３の内側に飛ばされる。これにより、衣類に含まれる水分のある程度は除去される。脱水された水は、制御装置２７が排水弁１９を開くことで水槽３から排出される。
【００４６】
次に、洗濯排水の熱を利用して冷媒を加熱する方法について説明する。制御装置２７が排水弁１９を開くと、洗濯排水は熱交換槽１８に流れ込む。洗濯の排水が水槽３から排出されると、洗濯排水は熱交換槽１８の入り口である複数孔１８ａを通って水道水搬送経路２０の一部に滴下され、水道水搬送経路２０、引いてはその内側を流れている水を加熱する。
【００４７】
水道水搬送経路２０内には、給水切替弁１６を状態Ｃにして給水経路１５から水道水が導入されている。これにより、洗濯排水は冷却される一方、水道水搬送経路２０内の水は加熱されて温水となる。この温水は水道水搬送経路２０の中をそのまま流れ、貯水部１３に供給される。
【００４８】
水道水搬送経路２０を流れてきた水は貯水部１３に流れ出て溜まり始め、ある程度洗濯水が貯水部１３に貯まると、吸熱器７および放熱器８は洗濯水に浸されることになる。このとき、温水の熱が吸熱器７および放熱器８に伝わり、冷媒が加熱される。
【００４９】
吸熱器７および放熱器８が一般的に使われているアルミニウム製や銅製の伝熱フィンや冷媒パイプで構成されていると、長期間の使用により、伝熱フィンや冷媒パイプ１２の表面で腐食が生じたり、汚れが固着するなどの不具合が比較的起こりやすいが、本実施の形態では、樹脂製の伝熱フィンおよび樹脂コーティングされた冷媒パイプ１２を使用しているので、腐食が生じにくく、汚れも固着し難い。
【００５０】
制御装置２７は、洗い工程の最後で排水弁１９を開き、洗濯排水を排出すると略同時に給水切替弁１６を作動させて状態Ｃとし、水を水道水搬送経路２０に導入する。洗濯排水は先に水道水搬送経路２０の外側に到達し、水道水搬送経路２０の経路壁を加熱し始める。その後、水道水搬送経路２０内の水が熱交換槽１８に到達して加熱される。加熱された水は温水となり、水道水搬送経路２０を引き続き通って貯水部１３に到達する。
【００５１】
制御装置２７は、貯水部１３内の水位が一定の高さになるために必要な所定時間が経過すると、給水切替弁１６を動作させて水の供給を停止する。その後、制御装置２７は、撹拌装置１４を駆動して貯水部１３に溜まった水を撹拌し、効率的に冷媒を加熱する。
【００５２】
制御装置２７は、一定時間が経過するか、または、乾燥工程が開始される前に、水道水排出弁２２を動作させて貯水部１３に溜まった水を機外へと排出する。
【００５３】
次に、乾燥工程の手順の概要を説明する。洗い、すすぎ、脱水を完了した後、衣類の乾燥運転を実行する。乾燥工程が開始されると制御装置２７は圧縮機１０を駆動させる。圧縮機１０は、冷媒を圧縮して冷媒パイプ１２内を放熱器８側へと送り出す。放熱器８では冷媒よりも低温の乾燥用空気に冷媒の熱を移動させることで、冷媒の温度は低下する。
【００５４】
その後、冷媒は膨張弁１１に到達し、液化する。液化した冷媒は吸熱器７で比較的高温
の乾燥用空気の熱を吸収して冷媒の温度が上昇し、冷媒は再び圧縮機１０に到達する。一方、乾燥用空気の視点で考えると、水槽３から送風経路６に入り込んだ乾燥用空気は、図１の矢印イに示す方向に循環する。
【００５５】
ドラム２内で湿った衣類により湿度が高くなった空気は吸熱器７によって冷却される。冷却された乾燥空気の温度に対応して飽和絶対湿度は低下するので、乾燥空気に溶け込めなくなった水分が吸熱器７に付着することになる。このように冷却された乾燥空気が放熱器８によって再び加熱されることで、温度に対応して飽和絶対湿度は上昇し、相対的な湿度は低下し低湿度の乾燥空気となって、送風装置９を通過して再び水槽３内に戻される。
【００５６】
次に、洗濯排水によって吸熱器７および放熱器８を温めることによるヒートポンプシステムへの影響について説明する。図２において、破線は、従来のヒートポンプシステムの冷媒温度を示しており、放熱器８に入る直前位置の冷媒温度と、吸熱器７の出口直後位置の冷媒温度を示している。乾燥運転が開始されると、初期温度Ｄ（略室温）から冷媒の温度が変化していき、ある程度の温度になると安定的になる。
【００５７】
冷媒温度が略一定になるまでの状態を遷移状態と呼ぶ。この状態の間に、冷媒は初期温度から安定的な状態に達するまで徐々に温度が変化していく。その後、吸熱器７および放熱器８と乾燥用空気との熱交換が行われ、冷媒温度が略一定の状態となり、これを安定状態と呼ぶ。乾燥効率が低くなるのはこの起動直後の遷移状態でのことである。遷移状態で乾燥効率が低下するのは、放熱器８側冷媒の温度が高くなく、また吸熱器７側冷媒の温度が低くないため、乾燥用空気との熱交換ができないためである。
【００５８】
実線は、洗濯排水によってヒートポンプシステムを温めた場合のヒートポンプシステムの冷媒温度である。当然、乾燥運転を開始する時点で、初期温度Ｅは従来の初期冷媒温度Ｄに比べて上昇している。そのため、放熱器８側冷媒温度は、従来よりも短時間で安定状態に達することができる。一方、吸熱器７側冷媒温度が安定状態に達するまでの時間は延びている。
【００５９】
乾燥運転の開始直後は、まず、乾燥用空気を加熱することが求められる。乾燥用空気が高温にならないと飽和絶対湿度が上昇せず、衣類の水分が乾燥用空気に蒸発しないため、衣類が乾かない。放熱器８側の冷媒温度が早く高温になり、吸熱器７側の冷媒が遅く低温になるということは、乾燥空気を加熱するうえで非常に適した状態である。
【００６０】
制御装置２７は乾燥工程が開始される前に貯水部１３に貯まった水を機外へ排出する。この排出の際に、吸熱器７および放熱器８の一部に水が付着して残ってしまう場合がある。放熱器８に水が付着した状態で乾燥運転を開始すると、放熱器８の熱量が本来の乾燥空気にではなく、その残水を加熱することに使われてしまい、乾燥用空気の加熱効率が低下してしまうという問題が生じる。
【００６１】
このような問題を避けるために、制御装置２７は、圧縮機１０を駆動する前に送風装置９を駆動する。送風装置９によって送風経路６内には風が発生し、放熱器８や吸熱器７に付着した水を落下させることができる。
【００６２】
以上のように、本実施の形態の洗濯乾燥機は、熱交換槽１８において洗濯排水と水道水の間で熱交換し、温かくなった水道水に吸熱器７および放熱器８を浸水させて、乾燥開始前に吸熱器７および放熱器８を加熱することで、乾燥開始直後の乾燥効率の低い遷移状態を短縮し、乾燥効率を向上し、より短時間かつ省エネルギーで乾燥が可能な洗濯乾燥機を提供することができる。また、洗濯排水は、直接吸熱器７および放熱器８に接触することがないので、吸熱器７や放熱器８に汚れが付着し、長期の使用後に乾燥効率が低下するこ
とを防いで信頼性の高い洗濯乾燥機を提供することができる。
【００６３】
また、本実施の形態の洗濯乾燥機は、洗濯排水を貯める貯水部１３を設け、長時間吸熱器７や放熱器８と洗濯排水を接触させることで、冷媒の加熱効率を向上することができ、より乾燥初期の乾燥効率を向上させることが可能となる。
【００６４】
また、本実施の形態の洗濯乾燥機は、貯水部１３に撹拌装置１４を設けたことにより、効率よく温水で冷媒を加熱することができ、乾燥初期の乾燥効率を一層向上させることが可能となる。
【００６５】
また、本実施の形態の洗濯乾燥機は、圧縮機１０を駆動する前に送風装置９を駆動することにより、乾燥を開始する前に乾燥効率の低下原因になる吸熱器７や放熱器８に付着した水を落下させることができるので、乾燥開始直後の乾燥効率の低下を抑えることが可能となる。
【００６６】
なお、水栓Ａから温水が供給される場合には、ヒータ１７はなくても問題ない。また、水栓Ａは建物に設置された水道栓に限定するものではなく、風呂水などの供給部であってもよい。
【００６７】
なお、本実施の形態では、吸熱器７と放熱器８とを同じ貯水部１３に設けているが、それぞれ個別の貯水部を設けてもよい。個別の貯水部を設け、吸熱器７と放熱器８の浸水時間を変化させる（排水するタイミングを変える）と、それぞれ最適に冷媒温度を加熱することが可能となり、さらに乾燥効率を向上させることができる。
【００６８】
（実施の形態２）
図４は、本発明の第２の実施の形態における洗濯乾燥機の要部断面図である。本実施の形態の特徴は、熱交換槽１８に洗濯排水を貯留可能に構成したものである。他の構成は実施の形態１と同じであり、同一の構成に同一の符号を付して、詳細な説明は実施の形態１のものを援用する。
【００６９】
図４において、熱交換槽１８の排出側には排出弁２８を設け、水道水搬送経路２０の熱交換槽１８の出口近傍の外側に水道水貯留弁２９を設けている。水道水搬送経路２０は、放熱器８の略直上で送風経路６と連通接続されている。排水弁１９と機外とを連通接続する直接排水経路３０を設けている。これにより、排水弁１９は、水槽３から熱交換槽１８へ水を導く状態と、直接排水経路３０を通して水を機外へ導く状態と、閉じて水を通さない状態の３つの状態に切り替えることができる。
【００７０】
なお、送風経路６に貯水部１３および水道水排水弁２２を設けていない。また、水道水排出経路２１は、図示していないが、途中にＵ字型のトラップ形状を含んでおり、送風経路６内の風が水道水排出経路２１を通じて機外へと漏れ出ない構成となっている。
【００７１】
以上のように構成された洗濯乾燥機について、以下その動作、作用について説明する。基本的な動作は、実施の形態１と同様であるので実施の形態１のものを援用する。まず、洗い、すすぎ、脱水時の動作について説明する。制御装置２７は、洗濯が終了すると排水弁１９を開放して洗濯排水を熱交換槽１８に導く。このとき制御装置２７は排出弁２８を閉止しているので、熱交換槽１８には洗濯排水が溜まり始める。
【００７２】
制御装置２７は、熱交換槽１８に一定時間洗濯排水を供給した後は、排水弁１９を切替えて、直接排水経路３０を通して洗濯排水を機外へと排出する。洗濯量が多い場合などの理由で洗濯排水が多い場合は必要な水量以外は排出する。
【００７３】
制御装置２７は、水道水貯留弁２９を閉じることにより、水道水搬送経路２０内の水道水の移動を停止させ、より長時間洗濯排水と水道水との熱交換が可能となる。一定時間水道水貯留弁２９を閉止した後、制御装置２７は水道水貯留弁２９を開放する。
【００７４】
水道水貯留弁２９は、閉止と開放を複数回繰り返す。水道水搬送経路２０を通って移動してきた水道水は、放熱器８のほぼ直上で送風経路６内に入り、放熱器８に滴下される。温められた水が放熱器８を、引いては冷媒を加熱し、その後、送風経路６の底面に落下し、送風経路６の最下部に連結された水道水排出経路２１を通って自然に機外へ排出される。
【００７５】
すすぎ工程では、すすぎに使用した水を機外へ排出する必要がある。この場合、制御装置２７は、排水弁１９を動作させて、すすぎ排水を熱交換槽１８へ導入せず、直接排水経路３０を通して直接機外へ排出する。
【００７６】
以上のように、熱交換槽１８に洗濯排水を貯留可能に構成することにより、熱交換槽１８に溜められた洗濯排水と、水道水搬送経路２０内の水道水の間で熱交換が充分におこなえるようになり、水道水をより高温にすることが可能となるので、より十分に冷媒を加熱することが可能となり、乾燥開始直後の乾燥効率を高くすることが可能となり、より短時間で効率よく乾燥させることができる。
【００７７】
また、水道水搬送経路２０に水道水貯留弁２９を設けることで、水道水搬送経路２０内の水道水を熱交換槽１８内に留めることができ、洗濯排水と水道水の間で熱交換が充分におこなえるようになり、水道水をより高温にすることが可能となるので、より十分に冷媒を加熱することが可能となり、乾燥開始直後の乾燥効率を高くすることが可能となり、より短時間で効率よく乾燥させることが可能となる。
【００７８】
（実施の形態３）
図５は、本発明の第３の実施の形態における洗濯乾燥機の要部断面図である。本実施の形態の特徴は、風呂水を供給源とする本体１外の水栓Ｆと水槽３を風呂水供給経路３１で連通接続し、洗い工程では水栓Ｆからの風呂水を使用し、すすぎ工程では水栓Ａからの水道水を用いるようにしたものである。他の構成は実施の形態１と同じであり、同一の構成に同一の符号を付して、詳細な説明は実施の形態１のものを援用する。
【００７９】
図５において、熱交換槽１８は水槽３の下部に一体的に設けられており、熱交換槽１８の内側下部に撹拌装置３２が設置されている。撹拌装置３２はポンプからなり、熱交換槽１８内の水を吸込んで、熱交換槽１８内に吐き出すように構成されている。水槽３と熱交換槽１８は、排水弁１９を介して連通接続されている。また、排水弁１９は、直接排水経路（図示せず）と連通し、水槽３からの排水を機外へ直接排出することができるようにしている。
【００８０】
放熱器８は、吸熱器７よりも送風経路６内の上方に配置されており、吸熱器７のみが貯水部１３の水に浸水し、放熱器８は浸水しない構成となっている。貯水部１３は、すすぎに必要な水が貯められる構成となっている。貯水部１３の略底部には、水道水供給経路３３が接続されており、水道水供給経路３３の他端は水槽３に接続されている。水道水供給経路３３には水道水ポンプ３４が設けてあり、貯水部１３内の水道水を水槽３に供給することができるようにしている。
【００８１】
風呂水を供給源とする洗濯乾燥機の本体１外の水栓Ｆとも接続されている。水栓Ｆと水槽３は、風呂水供給経路３１で連通接続されており、この間に洗剤や漂白剤などを供給す
る水に混入させるための洗剤ケース（図示せず）と、風呂水弁３５が設けられている。洗剤ケースは水栓Ａと水栓Ｆともに共通となっている。なお、本実施の形態における洗濯乾燥機には洗濯に用いる水を加熱するためのヒータは搭載されていない。
【００８２】
以上のように構成された洗濯乾燥機について、以下その動作、作用について説明する。基本的な動作は前記実施の形態と同様であるので省略する。本実施の形態における洗濯乾燥機は、洗い工程では水栓Ｆからの風呂水を使用し、すすぎ工程では水栓Ａからの水道水を用いる。
【００８３】
洗濯について説明する。洗い工程が終わると、制御装置２７は排水弁１９を開放して、洗濯排水を熱交換槽１８へと導く。制御装置２７は、このとき排出弁２８を閉じているので、洗濯排水は熱交換槽１８に溜まり始める。熱交換槽１８に洗濯排水が溜まると、制御装置２７は撹拌装置３２を動作させる。
【００８４】
撹拌装置３２を動作させることで、熱交換槽１８に溜まった洗濯排水は撹拌され、水道水搬送経路２０との間で効率よく熱交換が行われる。このように加熱された水道水は水道水貯留弁２９の開放により、貯水部１３へと移動される。貯水部１３では、加熱された水道水の熱が浸水した吸熱器７に伝わり、吸熱器７内の冷媒を加熱する。
【００８５】
冷媒を加熱した後も水道水の温度は通常の水温よりも高い場合が多い。この温められた水道水はすすぎ工程での最後の給水時に使用される。最後の給水時に、制御装置２７は水道水ポンプ３４を駆動させ、貯水部１３に溜まった水を水槽３内へと移動させる。加熱された水道水をすすぎに使用することで、衣類やドラム２、水槽３などは通常の水温の水道水ですすぎを行うよりも高温に保つことが可能となる。
【００８６】
次に、すすぎ工程中のヒートポンプシステムについて説明する。洗濯排水によって吸熱器７の中の冷媒は加熱されている。加熱された冷媒は冷媒パイプ１２中で上側に移動しやすくなり、自然対流が生じるが、ヒートポンプシステム全体の冷媒を加熱することは難しい。
【００８７】
そこで、制御装置２７は貯水部１３に水を貯めた後、圧縮機１０を駆動させる。圧縮機１０を駆動させる期間は短く、目安としては冷媒がヒートポンプシステム内を半周ほどする時間とする。これにより、今まで加熱されていなかった冷媒が吸熱器７へと移動することになり、より効率よく冷媒を加熱することができる。また、この短時間だけ圧縮機１０を駆動させる運転を複数回繰り返せば、さらに効率よく冷媒を加熱することができる。
【００８８】
熱交換槽１８には、すすぎ工程および脱水工程の間、洗濯排水が貯留される。脱水工程では、モータ４は高い回転数でドラム２を回転させることで、衣類に働く遠心力を利用して衣類から水分を離脱させる。このとき、ドラム２内の衣類が偏在しているとドラム２が激しく振動し、引いては洗濯乾燥機の本体１までもが振動することになる。
【００８９】
しかし、水槽３と一体的に熱交換槽１８が構成され、しかも、熱交換槽１８内に一定量（例えば３０Ｌ）の水が存在すると、この水が重りとなり水槽３の振動を低減させる効果がある。水槽３の振動を低減させると、結果として洗濯乾燥機の本体１の振動を低減することができる。
【００９０】
また、熱交換槽１８には洗濯温度とほぼ同じ温水が貯留されているため、すすぎ時に通常の温度の水道水を使用したとしても水槽３の温度が冷えにくい。その結果、乾燥を開始する際に温風の熱が冷えた水槽３に奪われることを低減することができる。
【００９１】
吸熱器７は、常に一定の高さまでしか浸水しない。その結果、洗濯排水の中にフィルタ（図示せず）を通り抜けた汚れやリントがあったとしても、吸熱器７の下部の一部にしか付着することはなく、吸熱器７の浸水しない部分には汚れ等が付着しない。そのため、吸熱器７全体が汚れなどに覆われて、乾燥時に全く熱交換せず、衣類が乾燥できなくなる自体を避けることが可能となる。
【００９２】
次に、乾燥工程について説明する。ヒートポンプシステム内の冷媒温度が安定状態になり、放熱器８によって加熱された乾燥空気がドラム２内の衣類を乾燥させるのであるが、ドラム２や衣類の温度が低い場合には、乾燥空気の熱がまず衣類やドラム２を加熱するために使われてしまい、乾燥空気の温度が低下してしまうので、十分に蒸気を吸収できなくなってしまい、衣類やドラム２の温度が乾燥空気と同等の温度になるまで乾燥効率が低下してしまう。本実施の形態の洗濯乾燥機は、衣類やドラム２が加熱された水道水によって既に加熱されているので、衣類やドラム２を乾燥空気によって略同等の温度にまで加熱する時間が短くなる。
【００９３】
以上のように、本実施の形態の洗濯乾燥機は、熱交換槽１８に撹拌装置３２を設けたものであり、洗濯排水の熱を効率よく水道水搬送経路２０内の水に伝えることができ、冷媒を高温に加熱して、乾燥効率をさらに向上させることができる。
【００９４】
また、冷媒を加熱した後のまだ水道水の温度よりも温かい水をすすぎに利用することにより、乾燥前の衣類やドラム２、水槽３を加熱することができ、乾燥効率をさらに向上させることができる。
【００９５】
なお、上記すべての実施の形態において、吸熱器７や放熱器８を含むヒートポンプシステム全体の置き場所は、必ずしも本体１内の下部でなくてもよく、水槽３の上方や側方、背面側など、本体１内の他の場所に配置されていてもよい。
【００９６】
なお、上記すべての実施の形態において、貯水部１３は必ずしも送風経路６内に設ける必要はなく、送風経路６外でも冷媒パイプ等が存在し、冷媒を加熱することができればよい。洗濯排水により送風経路６外で冷媒を加熱すると、送風経路６内の吸熱器７あるいは放熱器８に洗濯排水が付着して乾燥時に乾燥効率を低下させることもないので、安定して乾燥性能を高めることができる。
【００９７】
なお、上記すべての実施の形態において、ドラム２を水平軸周りに回転させて洗濯する洗濯方式を採用しているが、ドラム２が垂直軸周りに回転する縦型洗濯方式など他の洗濯方式でも、洗濯排水で冷媒を予熱する構成は変わらないので同様の効果が得られる。
【００９８】
なお、上記すべての実施の形態において、伝熱フィンおよび冷媒パイプ１２は、その表面において腐食などの問題が生じずに全体的に熱伝導性の良い物質で構成されていればよい。そのため、伝熱フィン全体が熱伝導性のよい樹脂でできていてもよく、また、金属製の伝熱フィンの表面に腐食などを抑えるためのコーティングが施されていたり、酸化膜が形成されているなどの構成でもよい。
【００９９】
なお、上記すべての実施の形態において、吸熱器７および放熱器８は、必ずしも伝熱フィンおよび冷媒パイプ１２で構成されている必要はなく、一部伝熱フィンがなかったり、全体的に伝熱フィンがなくてもよい。特に、吸熱器７または放熱器８の浸水する部分に伝熱フィンがないと、洗剤や汚れが付着してしまう恐れを低減することができるので、ヒートポンプシステムの信頼性を向上させることができる。
【０１００】
なお、上記全ての実施の形態において、熱交換槽１８内の水道水搬送経路２０について
、伝熱フィンを追加したり、経路表面に凹凸を設けるなど、熱交換を促進する構成となっていると、熱交換の効率を高めることができる。
【０１０１】
なお、上記全ての実施の形態において、熱交換槽１８と水槽３との間に洗濯排水に含まれるゴミや糸くずなどを除去するフィルタを備えてもよい。さらに、このフィルタを使用者が容易に取り外して掃除することが可能であるとさらによい。
【産業上の利用可能性】
【０１０２】
以上のように、本発明にかかる洗濯乾燥機は、乾燥運転開始後の起ち上がり性能を高めて、乾燥性能を向上させることができるので、洗濯乾燥機として有用である。
【符号の説明】
【０１０３】
２  ドラム
３  水槽
６  送風経路
７  吸熱器
８  放熱器
９  送風装置
１０  圧縮機
１１  膨張弁
１２  冷媒パイプ
１５  給水経路
１８  熱交換槽
２０  水道水搬送経路
２１  水道水排出経路
２６  排水経路
２７  制御装置
【図１】
2012205631.tif 000003
【図２】
2012205631.tif 000004
【図３】
2012205631.tif 000005
【図４】
2012205631.tif 000006
【図５】
2012205631.tif 000007
【図６】
2012205631.tif 000008
【図７】
2012205631.tif 000009